(57)【要約】【課題】  配管吊バンドを、配管現場で簡易に配管パイプを吊支持できるようにする。【解決手段】  配管吊バンドＡを、タンバックル４に吊持ちする締着片１１、３１を備えた第１のバンド片１、第３のバンド片３と、第２のバンド片２に連結し且つ第３のバンド片３を円周交差方向に回動して先端を相互に連結自在とした第２のバンド片２による３分割のバンド片によって形成し、第２及び第３のバンド片２、３の湾曲半径を第１のバンド片１より１ｍｍ程度径大化するとともに第３のバンド片３における締着片のボルト５の挿通孔３２を上下に長孔とする。第１のバンド片１に配管パイプＢを片持ちした後、第３のバンド片３を、ボルト５を中心として回動して第２のバンド片２に連結する。配管パイプＢの吊支持を容易且つ確実に行なうことが可能となる。【選択図】  図８
2011007260.tif 000002
【特許請求の範囲】
【請求項１】
１／２円を上回る角度を有する配管パイプ片持ち用の第１のバンド片と、該第１のバンド片の角度の残余角度における円周方向片側一方及び片側他方の角度をそれぞれ有する配管パイプ押え用の第２及び第３のバンド片を備え、上記第１及び第３のバンド片をそれぞれその上端に締着片を突出配置しこれらの締着片間にタンバックル吊片を挟んでこれらを挿通したボルトにナットを締着することによって該第１及び第３のバンド片をタンバックルに吊持ち自在とするとともに上記第２のバンド片を第１のバンド片の非締着片側の先端に起立回動自在に連結する一方、上記第３のバンド片を締着片に挿通したボルトを回動軸として円周交差方向に回動することによってその非締着片側の先端を上記第２のバンド片の非連結側の先端に交差方向の回動連結を自在とした円周方向に３分割した配管バンドであって、上記第１のバンド片の湾曲半径に対して上記第２及び第３のバンド片の湾曲半径を僅少径差によって径大化し且つ該第３のバンド片の締着片をこれに挿通した上記ボルトに対して上下に揺動自在としてなることを特徴とする配管吊バンド。
【請求項２】
上記第３のバンド片の第２のバンド片に対する回動連結を、これら第２及び第３のバンド片の先端にそれぞれ外周方向に段差をなすように配置し且つ幅方向に１／２幅の切り込みを配置した係合段部と、該係合段部の内周側に挿入係合する係合片を備えて形成してなることを特徴とする請求項１に記載の配管吊バンド。
【請求項３】
上記第３のバンド片のボルトに対する上下の揺動を、締着片に透設したボルト挿通孔を上下に長孔とすることによって自在としてなることを特徴とする請求項１又は２に記載の配管吊バンド。
【請求項４】
上記ボルト挿通孔の長孔を、上記第１のバンド片における締着片のボルト軸に応じたボルト挿通孔に対してその上下の双方に向けた長孔としてなることを特徴とする請求項３に記載の配管吊バンド。
【請求項５】
上記第３のバンド片の内周側に、上記第１のバンド片との径差に応じて突出する小突起を配置してなることを特徴とする請求項１、２、３又は４に記載の配管吊バンド。
【請求項６】
上記第１のバンド片に対する配管パイプの片持ちによって、第２のバンド片を自動的に起立回動自在とした起立回動手段を第１のバンド片、第２のバンド片又はこれらの間に配置してなることを特徴とする請求項１、２、３、４又は５に記載の配管吊バンド。
【請求項７】
上記起立回動手段を、第２のバンド片から第１のバンド片との回動連結位置を通過して該第１のバンド片側に向けて突出することによって、第２のバンド片の第１のバンド片への垂下り状態で第１のバンド片の開口内に起立した配管パイプ受止め突起によるものとしてなることを特徴とする請求項６に記載の配管吊バンド。
【発明の詳細な説明】
【技術分野】
【０００１】
本発明は、例えば天井スラブからの吊ボルトにタンバックルを介して吊持ちすることによって配管パイプを吊支持するように用いる配管吊バンドに関する。
【背景技術】
【０００２】
この種の配管吊バンドとして、本出願人による下記の特許文献１及び２が知られている。特許文献１の配管吊バンドは、例えば２１０〜２２０度程度の１／２円を上回る角度を有する配管パイプ片持ち用の第１のバンド片と、該第１のバンド片の角度の、例えば１４０〜１５０度程度の残余角度を有する配管パイプ押え用の第２のバンド片を備え、該第１及び第２のバンド片をそれぞれその上端に締着片を突出配置しこれらの締着片間にタンバックル吊片を挟んでこれらを挿通したボルトにナットを締着することによってこれらをタンバックルに吊持ち自在とするとともに該第２のバンド片を第１のバンド片の非締着片側の先端に起立回動自在に連結した円周方向に２分割したものとされており、このとき、該配管吊バンドは、その第１のバンド片を、タンバックル吊片に締着片を吊持ちするように先行配置し、第２のバンド片を開放状態としたまま、該第１のバンド片に配管パイプを載置し該配管パイプを片持ちし、その後に第２のバンド片を起立回動して該第２のバンド片の締着片を吊持ちしてボルトにナットを締着するようにして天井スラブに配管パイプを吊支持するように用いるものとされている。
【０００３】
また、特許文献２の配管吊バンドは、例えば２１０〜２２０度程度の１／２円を上回る角度を有する配管パイプ片持ち用の第１のバンド片と、該第１のバンド片の角度の、例えば１４０〜１５０度程度の残余角度を有する配管パイプ押え用の第２のバンド片を備え、これら第１及び第２のバンド片をそれぞれその上端に締着片を突出配置しこれらの締着片間にタンバックル吊片を挟んでこれらを挿通したボルトにナットを締着することによってこれらをタンバックルに吊持ち自在とするとともに該第１及び第２のバンド片の一方を締着片に挿通したボルトを回動軸として円周交差方向に回動することによってこれらの非締着片側の先端を交差方向に回動連結自在とした円周方向に２分割したものとされ、このとき、該配管吊バンドは、例えば、その第１及び第２のバンド片の締着片をタンバックルに吊支持し、第２のバンド片を交差方向に回動して開放して、第１のバンド片に配管パイプを片持ちし、開放回動した第２のバンド片を復帰回動して、該配管パイプを挟み込むように、双方の端部を連結することによって、配管パイプを天井スラブに吊支持するように用いるものとされており、これら第１及び第２のバンド片の回動連結は、これを、これらバンド片の先端にそれぞれ外周方向に段差をなすように配置し且つ幅方向に１／２幅の切り込みを配置した係合段部と、該係合段部の内周側に挿入係合する係合片を備えて形成したものとされている。
【先行技術文献】
【特許文献】
【０００４】
【特許文献１】特開２０００−４６２４４号公報
【特許文献２】特開平１１−３０４０５２号公報
【発明の概要】
【発明が解決しようとする課題】
【０００５】
これらの場合、配管パイプを第１のバンド片に載置してその片持ちを行なうことができるから、配管パイプを手持する作業者が不要となり、配管吊バンドを操作する作業者のみで配管パイプの吊支持を行なうことが可能となり、従って、配管作業の効率化に資することができる。
【０００６】
しかし乍ら、配管吊バンドは、その締着片によってタンバックルの吊片を挟んで、これらを挿通するボルトにナットを締着し且つタンバックルを配管バンドの円周内に転倒状に収納して、タンバックルを一体化した状態として出荷されるのが一般であるところ、該タンバックル一体化の出荷形態を考慮すると、これら特許文献１及び２の配管吊バンドには、更に改良すべき問題点が残されている。
【０００７】
即ち、特許文献１は、上記出荷形態の配管吊バンドを、タンバックルを起立するとともにボルトに締着したナットを外し、更に第２のバンド片の締着片をボルトから外した後に、その配管作業を行なう事前作業を必要とし、ナットの落下や紛失の可能性等の問題点を有する上、第１のバンド片に配管パイプを設置して、これを片持ちした後に第２のバンド片を起立回動してその締着片のタンバックルへの吊持ちを行なうについて、該第２のバンド片の起立回動の回動中心は、第１のバンド片の円周方向先端となること、また、締着片に挿通すべきボルトは、第１のバンド片の配管パイプの荷重を受けた状態で、タンバックルの吊片との間に生じる幾分のクリアランスによって、タンバックルの吊片から上向きに突出していることから、第２のバンド片を起立回動してその締着片にボルトを受入れるように挿通しようとしても、該ボルトの先端が締着片の回動軌跡から外れた上方に位置するために、締着片とボルトの位置合せを行なって、挿通を行なう作業が必要となり、また、この場合、ボルトを第１のバンド片側に後退するようにすれば、該回動軌跡とボルトの位置を合せることができるが、配管パイプの荷重を受けているボルトを後退したり、再度突出したりすることも必ずしも容易ではない。出荷形態と現場の配管作業との関係で、特許文献１はかかる問題点を残している。
【０００８】
特許文献２は、上記出荷形態のものとしても、同様にタンバックルを起立し、ボルトに締着したナットを僅かに、例えば１〜２回転程度緩めるようにすれば、第２のバンド片の交差回動が可能となるから、特許文献１のような事前作業を必要とすることはないが、円周交差方向に回動して開放した第２のバンド片の復帰回動の回動中心は、その締着片に挿通したボルトとなること、配管バンドはその安定した配管パイプの吊支持のために、例えば２〜３ｃｍの幅を有しており、従って締着片におけるボルト位置は締着片の幅方向中央位置とされるのが一般であるから、第２のバンド片の幅方向端部は、ボルトを中心とした回動軌跡から、１／２幅程度の位置ずれを生じた位置となることから、該復帰回動時に第２のバンド片の幅方向端部、特に締着片の付け根部分の幅方向端部が、第１のバンド片に片持ちした配管パイプに当ることによってその復帰回動が妨げられるに至り、また、第２のバンド片の角度が１／４円以下であれば別であるが、上記１４０〜１５０度といったように１／４円を超えると、復帰回動に際してその円周方向先端が第１のバンド片に片持ちした配管パイプに当って、その復帰回動が妨げられるに至ることになる。このとき第２のバンド片を外側に起すように復帰回動できるようにすれば、後者の配管パイプとの当りを回避することが可能となるが、そのためには、ナットを外す位に大きく緩めるか、ナットを外す作業が必要となる。現場の配管作業との関係で、特許文献２はかかる問題点を残している。
【０００９】
本発明はかかる事情に鑑みてなされたもので、その解決課題とするところは、上記配管パイプの片持ちをなし得るようにして、配管作業の効率化を維持しつつ、タンバックル一体化の出荷形態にあっても現場の配管作業を可及的に簡易且つ確実になし得るようにした配管吊バンドを提供するにある。
【課題を解決するための手段】
【００１０】
上記課題に沿って本発明は、配管吊バンドを、円周方向に３分割した第１乃至第３のバンド片によって構成し、第１のバンド片を、例えば２１０〜２２０度とする如くに、１／２を上回る配管パイプ片持ち用とし、第２及び第３のバンド片をその残余角度の、例えば１４０〜１５０度を２分割してそれぞれ配管パイプ押え用とする一方、第１及び第３のバンド片にタンバックルに吊持ちする締着片を設置し、第２のバンド片を第１のバンド片に起立回動自在に連結し、更に、第３のバンド片と第２のバンド片の先端を回動連結自在とすることによって、配管パイプを片持ちした第１のバンド片を基準として、これに連結した第２のバンド片を起立回動し、該第２のバンド片にタンバックルに吊持ちした第３のバンド片を交差方向に回動して回動連結するようにして、配管パイプを吊支持するものとする一方、第２及び第３のバンド片の湾曲半径を、第１のバンド片の湾曲半径、即ち、配管パイプの外径に合せて設定した半径より、僅少の径差で径大として、配管パイプと第２及び第３のバンド片との間に僅少のクリアランスを配置し、また、第３の締着片をボルトに対して上下方向に揺動自在とするものとし、これによって、必要に応じてナットを僅かに緩め、更には締着片を上下方向に揺動することによって、第３のバンド片の円周交差方向への回動と、第１のバンド片に片持ちした配管パイプへの当りを解消しつつ、該第３のバンド片と、第１のバンド片に対して起立回動した第２のバンド片との回動連結を可能として、現場の配管作業を可及的に簡易且つ確実になし得るようにしたものであって、即ち、請求項１に記載の発明を、１／２円を上回る角度を有する配管パイプ片持ち用の第１のバンド片と、該第１のバンド片の角度の残余角度における円周方向片側一方及び片側他方の角度をそれぞれ有する配管パイプ押え用の第２及び第３のバンド片を備え、上記第１及び第３のバンド片をそれぞれその上端に締着片を突出配置しこれらの締着片間にタンバックル吊片を挟んでこれらを挿通したボルトにナットを締着することによって該第１及び第３のバンド片をタンバックルに吊持ち自在とするとともに上記第２のバンド片を第１のバンド片の非締着片側の先端に起立回動自在に連結する一方、上記第３のバンド片を締着片に挿通したボルトを回動軸として円周交差方向に回動することによってその非締着片側の先端を上記第２のバンド片の非連結側の先端に交差方向の回動連結を自在とした円周方向に３分割した配管バンドであって、上記第１のバンド片の湾曲半径に対して上記第２及び第３のバンド片の湾曲半径を僅少径差によって径大化し且つ該第３のバンド片の締着片をこれに挿通した上記ボルトに対して上下に揺動自在としてなることを特徴とする配管吊バンドとしたものである。
【００１１】
請求項２に記載の発明は、上記に加えて、第３のバンド片の円周交差方向への回動とこれによる第２のバンド片との連結を可及的簡易且つ確実に行なうものとするように、これを、上記第３のバンド片の第２のバンド片に対する回動連結を、これら第２及び第３のバンド片の先端にそれぞれ外周方向に段差をなすように配置し且つ幅方向に１／２幅の切り込みを配置した係合段部と、該係合段部の内周側に挿入係合する係合片を備えて形成してなることを特徴とする請求項１に記載の配管吊バンドとしたものである。
【００１２】
請求項３に記載の発明は、同じく上記に加えて、上記第３バンド片のボルトに対する上下揺動を、可及的簡易且つ確実になし得るものとするように、これを、上記第３のバンド片のボルトに対する上下の揺動を、締着片に透設したボルト挿通孔を上下に長孔とすることによって自在としてなることを特徴とする請求項１又は２に記載の配管吊バンドとしたものである。
【００１３】
請求項４に記載の発明は、同じく上記に加えて、該長孔によって上記第３のバンド片の回動連結を確実に行うとともに配管吊バンドによる配管パイプの安定した保持を確実に行なうものとするように、これを、上記ボルト挿通孔の長孔を、上記第１のバンド片における締着片のボルト軸に応じたボルト挿通孔に対してその上下の双方に向けた長孔としてなることを特徴とする請求項３に記載の配管吊バンドとしたものである。
【００１４】
請求項５に記載の発明は、同じく上記に加えて、第３のバンド片の円周交差方向への回動とこれによる第２のバンド片との連結を更に確実になし得るものとするように、これを、上記第３のバンド片の内周側に、上記第１のバンド片との径差に応じて突出する小突起を配置してなることを特徴とする請求項１、２、３又は４に記載の配管吊バンドとしたものである。
【００１５】
請求項６に記載の発明は、同じく上記に加えて、配管パイプを第１のバンド片に片持ちすることによって、該配管パイプの側面を押えるように第２のバンド片を自動的に起立回動するようにして、該第２のバンド片を指先等によって起立回動することなく、第３のバンド片の円周交差方向への回動とこれによる第２のバンド片との連結を該自動的な起立回動状態でなし得るようにして、更に現場の配管作業の効率化を図れるものとするように、これを、上記第１のバンド片に対する配管パイプの片持ちによって、第２のバンド片を自動的に起立回動自在とした起立回動手段を第１のバンド片、第２のバンド片又はこれらの間に配置してなることを特徴とする請求項１、２、３、４又は５に記載の配管吊バンドとしたものである。
【００１６】
請求項７に記載の発明は、同じく上記に加えて、上記起立回動手段を可及的簡易な構造にして確実に自動的な起立回動を行なうものとするように、これを、上記起立回動手段を、第２のバンド片から第１のバンド片との回動連結位置を通過して該第１のバンド片側に向けて突出することによって、第２のバンド片の第１のバンド片への垂下り状態で第１のバンド片の開口内に起立した配管パイプ受止め突起によるものとしてなることを特徴とする請求項６に記載の配管吊バンドとしたものである。
【００１７】
本発明はこれらをそれぞれ発明の要旨として、上記課題解決の手段としたものである。
【発明の効果】
【００１８】
本発明は以上のとおりに構成したから、請求項１に記載の発明は、円周方向に３分割した第１乃至第３のバンド片によって構成し、第１のバンド片を、例えば２１０〜２２０度とする如くに、１／２を上回る配管パイプ片持ち用とし、第２及び第３のバンド片をその残余角度の、例えば１４０〜１５０度を２分割してそれぞれ配管パイプ押え用とする一方、第１及び第３のバンド片にタンバックルに吊持ちする締着片を設置し、第２のバンド片を第１のバンド片に起立回動自在に連結し、更に、第３のバンド片と第２のバンド片の先端を回動連結自在とすることによって、配管パイプを片持ちした第１のバンド片を基準として、これに連結した第２のバンド片を起立回動し、該第２のバンド片にタンバックルに吊持ちした第３のバンド片を交差方向に回動して回動連結するようにして、配管パイプを吊支持するものとする一方、第２及び第３のバンド片の湾曲半径を、第１のバンド片の湾曲半径、即ち、配管パイプの外径に合せて設定した半径より、僅少の径差で径大として、配管パイプと第２及び第３のバンド片との間に僅少のクリアランスを配置し、また、第３の締着片をボルトに対して上下方向に揺動自在とするものとし、これによって、必要に応じてナットを僅かに緩め、更には締着片を上下方向に揺動することによって、第３のバンド片の円周交差方向への回動と、第１のバンド片に片持ちした配管パイプへの当りを解消しつつ、該第３のバンド片と、第１のバンド片に対して起立回動した第２のバンド片との回動連結を可能として、現場の配管作業を可及的に簡易且つ確実になし得るようにした配管吊バンドを提供することができる。
【００１９】
請求項２に記載の発明は、上記に加えて、第３のバンド片の円周交差方向への回動とこれによる第２のバンド片との連結を可及的簡易且つ確実に行なうものとすることができる。
【００２０】
請求項３に記載の発明は、同じく上記に加えて、上記第３バンド片のボルトに対する上下揺動を、可及的簡易且つ確実になし得るものとすることができる。
【００２１】
請求項４に記載の発明は、同じく上記に加えて、該長孔によって上記第３のバンド片の回動連結を確実に行うとともに配管吊バンドによる配管パイプの安定した保持を確実に行なうものとすることができる。
【００２２】
請求項５に記載の発明は、同じく上記に加えて、第３のバンド片の円周交差方向への回動とこれによる第２のバンド片との連結を更に確実になし得るものとすることができる。
【００２３】
請求項６に記載の発明は、同じく上記に加えて、配管パイプを第１のバンド片に片持ちすることによって、該配管パイプの側面を押えるように第２のバンド片を自動的に起立回動するようにして、該第２のバンド片を指先等によって起立回動することなく、第３のバンド片の円周交差方向への回動とこれによる第２のバンド片との連結を該自動的な起立回動状態でなし得るようにしたものとすることができる。
【００２４】
請求項７に記載の発明は、同じく上記に加えて、上記起立回動手段を可及的簡易な構造にして確実に自動的な起立回動を行なうものとすることができる。
【図面の簡単な説明】
【００２５】
【図１】配管吊バンドの正面図である。
【図２】第１のバンド片の正面図である。
【図３】第１のバンド片の側面図である。
【図４】第２のバンド片の正面図である。
【図５】第２のバンド片の側面図である。
【図６】第３のバンド片の正面図である。
【図７】第３のバンド片の側面図である。
【図８】配管吊バンドの第３のバンド片回動の状態を示す斜視図である。
【図９】他の例を示す配管吊バンドの正面図である。
【図１０】第２のバンド片の正面図である。
【図１１】第２のバンド片の側面図である。
【図１２】配管吊バンドの第２のバンド片起立回動の状態を示す斜視図である。
【図１３】配管吊バンドの第３のバンド片回動の状態を示す斜視図である。
【発明を実施するための形態】
【００２６】
以下図面の例に従って本発明を更に具体的に説明すれば、図１乃至図８において、Ａは配管吊バンド、Ｂは配管パイプであり、配管吊バンドＡは、第１のバンド片１、第２のバンド片２及び第３のバンド片３を備えて、円周方向に３分割したものとしてあり、第１のバンド片１は、１／２円を上回る角度を有する配管パイプ片持ち用とし、第２及び第３のバンド片２、３は、該第１のバンド片１の角度の残余角度における円周方向片側一方及び片側他方の角度をそれぞれ有する配管パイプ押え用としてあり、上記第１及び第３のバンド片１、３をそれぞれその上端に締着片１１、３１を突出配置しこれらの締着片１１、３１間にタンバックル吊片４３を挟んでこれらを挿通したボルト５にナット６を締着することによって該第１及び第３のバンド片１、３をタンバックル４に吊持ち自在とするとともに上記第２のバンド片２を第１のバンド片１の非締着片側の先端に起立回動自在に連結する一方、上記第３のバンド片３を締着片３１に挿通したボルト５を回動軸として円周交差方向に回動することによってその非締着片側の先端を上記第２のバンド片２の非連結側の先端に交差方向の回動連結を自在としたものとしてあり、本例にあって上記第３のバンド片３の第２のバンド片２に対する回動連結は、これを、これら第２及び第３のバンド片２、３の先端にそれぞれ外周方向に段差をなすように配置し且つ幅方向に１／２幅の切り込みを配置した係合段部２２、３４と、該係合段部２２、３４の内周側に挿入係合する係合片２４、３７を備えたものとしてある。
【００２７】
本例にあって配管吊バンドＡは、常法に従って、例えば２．５ｃｍ幅の亜鉛メッキ鋼板にプレス加工を施して形成し、同じく亜鉛メッキ鋼板にプレス加工を施して形成したタンバックル４を介して、例えば天井スラブに上端を固定した吊ボルト７に配管パイプＢを吊支持するものとしてあり、本例の該配管吊バンドＡを３分割したうちの上記第１のバンド片１は、上端に締着片１１を備える一方、該締着片１１に上記ボルト５を挿通する、例えば外径６ｍｍのボルトの軸径に合せて、これに１ｍｍ程度のクリアランスを加えた内径７ｍｍの円形のボルト挿通孔１２を透設してある。このとき該ボルト挿通孔１２は、締着片１１の幅方向中央位置に透設し、また、本例にあって該ボルト挿通孔１１の幅方向両側に一対のリブ１３を隆起形成し、該リブ１３を上記ボルト５のボルト頭を受け入れ、ナット６締着時にその連れ回りを防止する連れ回り防止用のものとしてある。第１のバンド片１は、円周方向に、例えば２１０〜２２０度程度、本例にあって２１５度程度とした角度を有するものとし、その非締着片側の幅方向端部に第２のバンド片２との連結軸受１４を離隔して一対配置したものとしてある。
【００２８】
第１のバンド片１は、配管パイプ片持ち用のものとして、配管吊バンドＡを吊ボルト７に装着した状態で、配管パイプＢを載置し、該配管パイプＢを単独で片持ち支持するものとして、その安定且つ確実な支持のために、その円周方向の角度は、これを、上記２１０〜２２０度程度とするのが好ましい。２１０度を下回ると、配管パイプＢの１／２を超えて該配管パイプＢを支持する角度が２０度台となるため、支持の安定性に欠ける可能性を生じる一方、２２０度を上回ると第２及び第３のバンド片２、３の角度が縮小して、配管操作が煩雑化する可能性がある。支持の安定性及び配管操作の容易性から、該角度は２１５±３度程度とすることが更に好ましい。
【００２９】
本例の第２のバンド片２は、上端に上記回動連結用の係合段部２２と係合片２４を配置し、下端に第１のバンド片１の上記連結軸受１４の間に配置することによって一連の軸受をなすように幅方向中央に連結軸受２１を配置してあり、このとき該第２のバンド片２は、上記係合段部２２による、例えば１５度程度の角度を含めて、円周方向に５０〜７０度程度、本例にあっては６０度程度とした角度を有するものとしてある。
【００３０】
本例の第３のバンド片３は、第１のバンド片１と同様に、上端に締着片３１を備える一方、該締着片３１、特にその幅方向中央に、本例にあって後述のように上下の長孔とした上記ボルト５を挿通するボルト挿通孔３２を透設してあり、また、その非締着片側、即ち下端の幅方向中央には、第２のバンド片２と同様に係合段部３４と、第２のバンド片２の係合片２４と幅方向に逆向きの係合片３６を配置してあり、このとき、本例の第３のバンド片３は、上記係合段部３４による、同じく１５度程度の角度を含めて、円周方向に９０〜１１０度程度、本例にあっては１００度程度とした角度を有するものとしてある。
【００３１】
このように形成した配管吊バンドＡにあって、上記第１のバンド片１の湾曲半径に対して上記第２及び第３のバンド片２、３の湾曲半径を僅少径差によって径大化し且つ該第３のバンド片３の締着片３１をこれに挿通した上記ボルト５に対して上下に揺動自在としてあり、本例にあって該第３のバンド片３のボルト５に対する上下の揺動は、これを、締着片３１に透設したボルト挿通孔３２を上下に長孔とすることによって自在としてあり、このとき、該ボルト挿通孔３２の長孔は、これを、上記第１のバンド片１における締着片１１のボルトの軸径に応じたボルト挿通孔１２に対してその上下の双方に向けた長孔としてある。
【００３２】
上記第１のバンド片１の湾曲半径は、例えば、配管パイプＢの適合管径を６０．５ｍｍとしたものにあって３０ｍｍ強程度、本例にあっては３０．２５ｍｍとする一方、第２及び第３のバンド片２、３の湾曲半径を、１〜２ｍｍ程度、本例にあっては１ｍｍ程度の径差によって径大化したものとしてある。即ち、配管パイプＢを片持ちする第１のバンド片１は、タンバックル４と締着片１１、３１に挿通したボルト５のナット６締着によって、配管パイプＢの吊支持状態で締着片１１、３１間には３〜４ｍｍ程度の間隔が生じるから、湾曲半径は、配管パイプＢの適合管径より径小化してある一方、第２及び第３のバンド片２、３は、これに対して上記１〜２ｍｍ程度の僅少径差でその径大化を行なってある。
【００３３】
本例の上下に長孔とした、第３のバンド片３における締着片３１のボルト挿通孔３２は、例えばボルト５の軸径に幅を合せて、これより１ｍｍ程度のクリアランスを加えて上記第１のバンド片１のボルト挿通孔１２と同幅とする一方、長さを上下に延長することによって、ボルト５の上下に向けた揺動を許容するように、該締着片３１に透設してあり、本例にあって該長さはボルト５の軸径の２倍以下、特に１．５〜１．６倍程度の、例えば１１ｍｍとしてあり、該長孔は、上記第１のバンド片１のボルト挿通孔１２を基準として、その上下にそれぞれ２ｍｍ程度の長さを延長したものとしてある。
【００３４】
本例の配管吊バンドＡは、第１のバンド片１に第２のバンド片２を、連結軸受１４、２１に支軸１５を挿通し、これらの間にヒンジを形成して、該第１のバンド片１に第２のバンド片２を起立回動自在に連結する一方、タンバックル４の吊片４３を、第１及び第３のバンド片１、３における締着片１１、３１間に介装し、第１のバンド片１の締着片１１のボルト挿通孔１２側から、タンバックル４の吊片４３に、同様に配置した円形のボルト挿通孔を介して第３のバンド片３における締着片３１のボルト挿通孔３２に貫通するようにボルト５を挿通し、該第３のバンド片３の締着片３１側で、該ボルト５にナット６を締着するとともに該第３のバンド片３と第２のバンド片２を連結した状態とし且つ該タンバックル４を、上記ボルト５を回動中心として配管吊バンドＡの円周内に回動収納することによって、タンバックル一体化の出荷形態として、その工場出荷を行なうものとしてある。
【００３５】
従って、配管現場では、天井からの吊ボルト７に、起立したタンバックル４の天板４１に配置したナット４２を螺装することによって配管吊バンドＡを吊ボルト７に吊持ちして、その配管作業を行なうものとしてあり、このとき事前又は事後に、必要に応じて第３のバンド片３の締着片３１側に位置するナット６を緩め、第３のバンド片３を円周交差方向に回動することによって第２のバンド片２の連結を解除するとともに該第２のバンド片２を下向きに回動して、第１のバンド片１を開放し、該第１のバンド片１に配管パイプＢを嵌め込むように載置して、その片持ちを行い、その後に該第１のバンド片の非締着片側の先端に垂下り状の第２のバンド片２を配管パイプＢに向けて起立回動し且つ第３のバンド片３を再度円周交差方向に回動して、係合片２４、３６同士を係合することによって、該第３のバンド片３を第２のバンド片２に回動連結するようにして、その配管作業を行なうものとしてある。
【００３６】
第１のバンド片１に配管パイプＢを片持ちした状態で、第３のバンド片３は、第２のバンド片２とともにその湾曲半径を第１のバンド片１より径大としてあるから、配管パイプＢとの間に第１のバンド片１との径差分のクリアランスが生じ、配管パイプＢの外側にせり出し状とすることができ、従って該クリアランスが、第３のバンド片３の１／４円を超える角度を吸収するように作用して、該第３のバンド片３の円周交差方向への回動に際して、１／４円を超える下方部位が配管パイプＢに接触して、該回動が妨げられるのを防止するとともに第２のバンド片２との連結に際して、配管パイプＢ側に位置する一方の係合片２４又は３６が配管パイプＢに密着して、他方の係合片３６又は２４との間に挿入することが困難になるのを防止して、双方の係合片２４、３６の係合を容易化するようにしてある。
【００３７】
また、締着片３１の上記ボルト挿通孔３２を介して第３のバンド片３は、ボルト５に対して上下方向に揺動自在としてあるから、ボルト５がボルト挿通孔３２の下部に位置するように該第３のバンド片３を上方に移動すれば、その湾曲半径の中心点が上方に向けてスライド移動し、該第３のバンド片３の上記１／４円を超える更に大きな角度の下方部位が配管パイプＢに接触するのを防止することができる。また、第３のバンド片３は、上記のように例えば２．５ｍｍの幅を有しているため、その締着片３１の端部、即ち、締着片３１の付け根の幅方向端部の画く回動軌跡が配管パイプＢの外周上方部位と交差することによって、該第３のバンド片３の円周交差方向への回動が不能となるところ、該第３のバンド片３の上方移動によって、該回動軌跡も上方に移動する結果、配管パイプＢとの交差を解消して、第３のバンド片３の円周交差方向への回動をスムーズ且つ確実に行うことができ、従ってボルト５の上方移動を許容する上記ボルト挿通孔３２は、これを配管パイプＢとの接触を回避する回動接触回避用の機能を有するものとしてある。
【００３８】
一方、ボルト５がボルト挿通孔３２の上部に位置するように、該第３のバンド片３を下方に移動すれば、上記第３のバンド片３と第２のバンド片２の係合片が相互に、例えば遊嵌状に係合する位置となって、その係合を容易になし得るとともに係合後には、第３のバンド片３と第２のバンド片２が配管パイプＢを押えるように第１のバンド片１と一体化して、該第１のバンド片１に片持ちした配管パイプＢを安定して吊支持し、その揺動や脱落を防止するように機能するに至る。
【００３９】
このとき該第３のバンド片３は、配管パイプＢに接触することはないが、本例にあって該第３のバンド片３の内周側に、上記第１のバンド片１との径差に応じて突出する小突起３３を配置したものとしてあり、これによって小突起３３が、配管パイプＢに接触して、上記径差によるクリアランスを吸収し、第３のバンド片３による配管パイプＢの保持を確実に行なうことによって、更に配管パイプの吊支持を安定して強固に行なうように、該小突起３３は、これを上記径差によるクリアランス吸収用の機能を有するものとしてある。本例にあって該小突起３３は、第３のバンド片３の内周側の上方、特に締着片３１の近傍位置に、本例にあって上記第１のバンド片１と第３のバンド片３の１ｍｍの径差に応じて、１ｍｍの突出寸法のものとしてあり、このとき、該小突起３３は、これを第３のバンド片３のプレス加工時に該プレス加工によって外周側の表面から裏面の内周側に向けて突出するように突出形成してあり、本例にあって該小突起３３は、該第３のバンド片３の幅方向に一対を配置してあり、これによって上記配管パイプＢとの接触を配管パイプＢの長手方向に２ヶ所で行なって、その保持を確実になし得るようにしてある。
【００４０】
図中１７、２６、３７は、配管吊バンドＡの各バンド片１、２、３にそれぞれ配置した補強用リブ、２３、３５は、係合片２４、３６の係合時に、該係合段部２２、３４に配置した各突起が嵌合するように係合片２４、３６に透設して配置した嵌合孔、４４は、タンバックル４の吊片４３間に配置したボルト５の抜止めを行なう軟質の抜止め部材を示す。
【００４１】
図９乃至図１３は、他の例を示したもので、本例にあって配管吊バンドＡは、上記第１のバンド片１に対する配管パイプＢの片持ちによって、第２のバンド片２を自動的に起立回動自在とした起立回動手段を第１のバンド片１、第２のバンド片２又はこれらの間に配置した例であり、本例の該起立回動手段は、これを、第２のバンド片２から第１のバンド片１との回動連結位置を通過して該第１のバンド片１側に向けて突出することによって、第２のバンド片２の第１のバンド片１への垂下り状態で第１のバンド片１の開口内に起立した配管パイプ受止め突起２５によるものとしてある。
【００４２】
即ち、上記図１乃至図８の配管吊バンドＡにあっては、該第２のバンド片２が第１のバンド片１の非締着片側の先端に起立回動自在に連結してあるから、配管パイプＢ片持ち前の吊支持状態で該第２のバンド片２は、該非締着片側の先端から自重で垂下り状態となるから、配管パイプＢの片持ち後に、該第２のバンド片２を、起立回動し、片方の手の、例えば親指で、回動起立状態を維持するように、これを押え乍ら、第３のバンド片３の円周交差方向への回動と、これによる該第３のバンド片３の係合片３６と第２のバンド片２の係合片２４の相互の係合を行なうことになるが、本例にあっては、配管パイプＢを、第１のバンド片１の開口からこれに受入れるように挿入してその片持ちを行えば、第２のバンド片２は自ずと起立回動して配管パイプＢの側面に沿って、これを押える位置関係となるから、該第２のバンド片２の起立回動や片方の手による起立状態の維持が不要となり、従って、片方の手がフリーになり、配管作業を格段に容易に行なうことができる。
【００４３】
本例の配管パイプ受け止め突起２５は、例えば、上記幅方向中央に配置した連結軸受２１の湾曲加工前の突片を、その突出方向中間位置で幅方向に３分割し、両側２つの分割片によって上記連結軸受２１を形成する一方、幅方向中央の分割片を、該第２のバンド片２から第１のバンド片１側に延設するように突出することによって、これを形成してあり、このとき該突起２５の突出長さは、配管パイプＢに接触するに必要且つ充分な１ｃｍ以下、例えば０．５ｃｍ程度とし、分割片の残余長さ部分は、該配管パイプ受け止め突起２５をＬ字状とするように、これを外側に折曲処理したものとしてある。これによって第２のバンド片２の上記垂下り状態で、該配管パイプ受け止め突起２５が、第１のバンド片１の開口内に起立するようにしてある。これによって、第１のバンド片１に配管パイプＢを片持ちすると、配管パイプＢが該配管パイプ受け止め突起２５を押圧するために、第２のバンド片２が第１のバンド片１との支軸１５を回動中心として、第１のバンド片１の開口を塞ぐように起立回動して、該配管パイプＢの側面にこれを第１のバンド片１とともに抱持するように起立回動状態を維持するようになる。
【００４４】
このとき該配管パイプ受け止め突起２５は、これが第１のバンド片１の内側に残存すると、その肉厚によって配管吊バンドＡの内周の曲率半径が部分的に損なわれて、配管パイプＢの受入障害をなすに至るところ、本例にあっては、第１のバンド片１の非締着片側に該第１のバンド片１を部分的に切り欠くことによって、第２のバンド片２の起立回動時に該パイプ受け止め突起２５を第１のバンド片１を通過するようにして、該パイプ受け止め突起２５をその下方に通過脱出するための切欠き孔１６を配置してある。
【００４５】
図９乃至図１３のその余は、上記例と変らないので同一符号を付して、その重複する説明を省略する。
【００４６】
図示した例は以上のとおりとしたが、上記第２のバンド片の起立回動手段を配置するとき、上記第１のバンド片と第２のバンド片間のこれらの連結用の支軸に回動自在に配置し且つ第２のバンド片の内側、例えばこれに形成した受け溝に受入れ重合する一方、上記と同様に第１のバンド片を通過するようにした上記支軸の軸受と該軸受の交差方向に突出した突片による断面Ｔ字状の、第１のバンド片及び第２のバンド片から独立した部材とすることを含めて、第１乃至第３のバンド片、第１のバンド片への第２のバンド片の起立回動自在の回動連結、第３のバンド片の円周交差方向の回動による回動連結、第２及び第３のバンド片と第１のバンド片の湾曲半径、ボルトに対する締着片の上下の揺動自在性、必要に応じて用いる係合段部と係合片、締着片の長孔、小突起、第２のバンド片の起立回動手段等の各具体的形状、構造、材質、これらの関係、これらに対する付加等は、上記発明の要旨に反しない限り様々な形態のものとすることができる。
【符号の説明】
【００４７】
Ａ  配管吊バンド
Ｂ  配管パイプ
１  第１のバンド片
１１  締着片
１２  ボルト挿通孔
１３  リブ
１４  連結軸受
１５  支軸
１６  切欠き孔
１７  補強用リブ
２  第２のバンド片
２１  連結軸受
２２  係合段部
２３  嵌合孔
２４  係合片
２５  配管パイプ受け止め突起
２６  補強用リブ
３  第３のバンド片
３１  締着片
３２  ボルト挿通孔
３３  小突起
３４  係合段部
３５  嵌合孔
３６  係合片
３７  補強用リブ
４  タンバックル
４１  天板
４２  ナット
４３  吊片
４４  抜止め部材
５  ボルト
６  ナット
７  吊ボルト
【図１】
2011007260.tif 000003
【図２】
2011007260.tif 000004
【図３】
2011007260.tif 000005
【図４】
2011007260.tif 000006
【図５】
2011007260.tif 000007
【図６】
2011007260.tif 000008
【図７】
2011007260.tif 000009
【図８】
2011007260.tif 000010
【図９】
2011007260.tif 000011
【図１０】
2011007260.tif 000012
【図１１】
2011007260.tif 000013
【図１２】
2011007260.tif 000014
【図１３】
2011007260.tif 000015